(57)【特許請求の範囲】
【請求項１】
ＩＳＤＮ回線により監視装置に接続される監視情報取得装置であって、
画像および音声を表す監視情報を取り込む入力手段と、
取り込まれた監視情報を符号化する符号化手段と、
前記監視装置側からの呼設定情報を受信して、当該監視装置との間で情報の送信および受信を開始する通信手段と、
受信された情報からパスワードを検出する検出手段と、
検出されたパスワードが、予め決められた所定の値と一致するか否かを判定する判定手段と、
一致すると判定された場合、前記符号化された監視情報を、前記通信手段から前記監視装置へ送信する制御手段と、
初期情報を生成する手段と、を備え、
前記初期情報は、再生すると異常な画像もしくは音声となるものであり、
前記制御手段は、前記呼設定情報を受信してから、前記判定手段で一致もしくは不一致の判定がなされるまでの間、前記生成された初期情報を前記通信手段から送信すること
を特徴とする監視情報取得装置。
【請求項２】
請求項１記載の監視情報取得装置であって、
前記通信手段が通信を開始した時点から、所定の長さの期間を計測するタイマ手段を備え、
前記制御手段は、前記タイマ手段の計測が終了する前に、前記判定手段における一致の判定がなされない場合、前記通信手段に回線の切断を実施させること
を特徴とする監視情報取得装置。
【発明の詳細な説明】
【０００１】
【発明の属する技術分野】
本発明は、入力した監視情報をＩＳＤＮ網（サービス統合ディジタル通信網）を介して遠離地の監視装置に送信する監視情報取得装置および、当該監視情報取得装置を用いた遠離監視システムに関するものである。
【０００２】
【従来の技術】
監視地点に設置される監視情報取得装置と、監視者側に設置される監視装置とがＩＳＤＮ回線により接続された遠離監視システムでは、監視装置が、監視情報取得装置から送られる、画像や音声を表す監視情報を受信、再生することで、監視者に監視情報を提供する。監視情報取得装置は、監視者以外の者が監視情報を引き出すことを防ぐ機能を備えている。例えば、特開平２−１５５３５０号公報に示されている装置は、ＩＳＤＮ網の呼設定メッセージの中に含まれる発加入者番号と発サブアドレスが、予め設定されているものと一致しない場合に着信拒否を行うことで、特定の監視装置にのみ管理情報を送信する。なお、発加入者番号は、呼を発信する装置が接続されるＩＳＤＮ網の加入者線（終端装置）により定まる。
【０００３】
【発明が解決しようとする課題】
上記従来の技術では、監視情報取得装置が監視情報の保護を、発加入者番号等の呼設定情報に基づいて行うため、監視装置の接続可能な加入者線は限定される。すなわち、監視装置を複数の加入者線で使用したり、配置を変更して別の加入者線で使用することはできなかった。
【０００４】
そこで、本発明は、呼設定情報を利用せずに、監視者にのみに監視情報を供給する監視情報取得装置を提供することを目的とする。
【０００５】
また、当該監視装置を用いた遠離監視システムを提供することを目的とする。
【０００６】
【課題を解決するための手段】
上記目的を達成するため、本発明は、ＩＳＤＮ回線により監視装置に接続される監視情報取得装置であって、画像および音声を表す監視情報を取り込む入力手段と、取り込まれた監視情報を符号化する符号化手段と、前記監視装置側からの呼設定情報を受信して、当該監視装置との間で情報の送信および受信を開始する通信手段と、受信された情報からパスワードを検出する検出手段と、検出されたパスワードが、予め決められた所定の値と一致するか否かを判定する判定手段と、一致すると判定された場合、前記符号化された監視情報を、前記通信手段から前記監視装置へ送信する制御手段を備えることを特徴とする。この発明による装置は、呼設定情報に続いて受信するパスワードを検出し、検出したパスワードが、監視者の知る所定の値に一致する場合に限り、監視情報の送信を行う。すなわち、受信した呼設定情報を利用せずに、監視者にのみに監視情報を供給することができる。
【０００７】
また、本発明は、上記の監視情報取得装置と、当該監視情報取得装置にＩＳＤＮ回線で接続される監視装置とを備えた遠離監視システムであって、前記監視装置は、前記監視情報取得装置との間で情報の送信および受信を行う通信手段と、監視者からのパスワードを受け付け、受け付けたパスワードを前記通信手段から送信する手段と、前記通信手段で受信された監視情報を復号し、当該復号により得られる画像および音声を再生する手段を備えることを特徴とする。この発明によるシステムでは、監視情報取得装置が監視情報の送信の可否をパスワードにより判定するため、監視装置はＩＳＤＮ網の任意の加入者線に接続可能である。
【０００８】
【発明の実施の形態】
以下で、本発明の実施形態について、図面を参照して説明する。
【０００９】
図１は、本発明の実施形態に係る遠離監視システムの構成図である。遠離監視システムは、監視者側に設置される監視装置１と、監視地点に設置される監視情報取得装置２とをＩＳＤＮ網３により接続したものである。監視情報取得装置２は、ビデオカメラ２１と、マイク２２と、監視情報送信装置２３を備え、監視対象の画像データと音声データからなる監視情報を、ＩＳＤＮ網３を通じて監視装置１に送信する。監視装置１は、ディスプレイ１１と、スピーカ１２と、監視情報受信装置１３を備え、監視情報取得装置２より送られる監視情報を受信し、再生する。図に示すように、この遠離監視システムでは、監視情報取得装置２は、ＩＳＤＮ網の任意の加入者線に、任意の数接続することができる。同様に、監視装置１も任意の加入者線に複数接続することができ、運搬して別の加入者線に接続することも可能である。
【００１０】
図２に、監視装置１および監視情報取得装置２の構成を示す。
【００１１】
監視装置１内の監視情報受信装置１３は、ＩＳＤＮ網３との間の通信を制御する網インタフェース・回線制御部５０と、監視情報受信装置１３の各部を制御するＣＰＵ５１と、制御プログラムや受信データを記憶するメモリ部５２と、受信フレームの分離や伝送速度の変換を行うマルチメディア多重分離部５３と、キー入力部５４と、バッファ５５と、受信された画像データと音声データを復号する画像音声コーデック５６と、復号されたデータを管理情報出力部１４の信号に変換する信号変換部５７を有している。なお、管理情報出力部１４は、図１のディスプレイ１１とスピーカ１２に相当する。
【００１２】
一方、監視情報取得装置２内の監視情報送信装置２３は、網インタフェース・回線制御部６０と、監視情報取得装置２の各部を制御するＣＰＵ６１と、監視情報を保護するためのアクセス管理部６２と、管理情報入力部１４より入力した画像信号および音声信号を符号化する画像音声コーデック部６３と、メモリ部６４と、回線接続時に送信するもので、再生時に雑音の画像や音声となるデータを生成する初期情報生成部６５と、スイッチ６６と、送信フレームの生成や伝送速度の変換を行うマルチメディア多重分離部６７を有している。なお、管理情報入力部１４は、図１のビデオカメラ２１とマイク２２に相当する。
【００１３】
図３に、監視情報取得装置２のより具体的な構成を示す。図２の網インタフェース・回線制御部制御部６０は、ＩＳＤＮ網３との整合をとるインタフェース部６０１と、回線の接続制御などを行う回線制御部６０２とで構成される。マルチメディア多重分離部６７は、受信フレームの分離を行う分離部６７１と、送信フレームを多重化する多重部６７２と、分離部６７１と多重部６７２を制御する制御部６７３とで構成される。画像音声コーデック部６３は、符号復号化部６３１と、ディジタル・アナログ変換部６３２とで構成される。また、メモリ部６４は、ＣＰＵ６１と回線制御部６０２の制御プログラムを記憶するプログラムメモリ６４１と、画像音声コーデック６３で処理された画像データ等を一時的に保持する送信用メモリ６４２とで構成される。アクセス管理部６２は、インタフェース部６２１と、一定の期間を計測するタイマ６２２と、予め設定される自パスワードを記憶する自パスワードメモリ６２３と、自パスワードと受信したパスワードを比較するパスワード比較器６２４により構成される。
【００１４】
図４は、監視装置１と監視情報取得装置２の間で行われる通信のシーケンス図である。図では、小矢印がＩＳＤＮユーザ・網インタフェースのＤチャネル信号を示し、大矢印はＢチャネル信号を示している。
【００１５】
まず、発信側の監視装置１では、管理者がキー入力部５４により、監視情報取得装置２に割り当てられた加入者番号を入力する。入力された加入者番号は、ＣＰＵ５１の制御によりバッファ５５、多重分離部５３、網インタフェース・回線制御部５０を経て、ＩＳＤＮ網３に送出される。これにより、Ｄチャネル信号として呼設定情報が監視情報取得装置２に送信される。これを受信した着信側の監視情報取得装置２の網インタフェース・回線制御部６０は、必要に応じて呼び出し音を出力し、ＩＳＤＮ網３に応答信号を送信し、画像データ転送用の第１Ｂチャネルと接続する。以上と同様の通信が再度行われ、音声データ転送用の第２Ｂチャネルが装置１，２間に設定される。そして、監視装置１は、パスワード伝送用の論理的なデータ通信ポートを２つのＢチャネルの１部に設定するための要求を送信する。この要求を受信した監視情報取得装置２は、データ通信ポートを設定し、応答信号を送出する。
【００１６】
次に、監視装置１は、監視者によりキー入力部５４に入力されたパスワードを、設定されたデータ通信ポートを用いて送信する。監視情報取得装置２のアクセス管理部６２は、監視装置１より受信したパスワードと、予め設定された自パスワードとを比較し、一致した場合は２つのＢチャネルを用いて、符号化された画像データと音声データ（監視情報）を送信する。この送信データは、監視装置１で受信され、メモリ部５２とマルチメディア多重分離部５３を経た後、画像音声コーデックで復号されて、監視情報出力部１４で再生される。パスワードが一致しない場合には、監視情報取得装置２は、Ｄチャネルを用いて回線の切断および解放を行い、通信を終了する。
【００１７】
図５に、回線設定後の監視情報取得装置２の詳細な動作シーケンスを示す。
【００１８】
Ｂチャネルおよびデータ通信ポートの設定後、監視情報取得装置２のＣＰＵ６１は、マルチメディア多重分離部６７からの着呼信号（データ通信ポートでの受信）に応じて、アクセス管理部６２のタイマ６２２を起動する。そして、自パスワードメモリ６２３に自パスワードの出力を要求し、スイッチ６６に初期情報生成部６５の出力を選択させる。これにより、初期情報生成部６５で生成されたデータは、スイッチ６６、マルチメディア多重分離部６７、網インタフェース・回線制御部６０を経て、設定されたＢチャネルで監視装置１に伝送される。
【００１９】
この間、パスワード比較器６２４は、マルチメディア多重分離部６７の受信データと、自パスワードメモリ６２３から出力される自パスワードとを１ビットずつ順次に比較し、比較結果をＣＰＵ６１に出力する。比較結果が一致の場合、ＣＰＵ６１は、スイッチ６６に画像音声メモリ６４２の出力を選択させる。これにより、符号化された画像データと音声データが、設定されたＢチャネルで着信側の装置に伝送される。ＣＰＵ６１は、比較結果が不一致の場合、または、比較結果の入力前にタイマ６２２から計測終了の通知を受けた場合には、網インタフェース・回線制御部６０に回線の切断を指示する。
【００２０】
以上で説明したように、本実施形態の遠離監視システムでは、監視情報の安全性が保たれ、かつ、監視装置１はＩＳＤＮ網３の任意の加入者線に接続できる。また、再生時に雑音となる初期情報生成部６５の生成データは、誤って監視情報取得装置２に接続した者に早期の回線切断を促す。さらに、タイマ６２２によりパスワードの受け付け期間を制限することで、誤接続状態の長期化は防がれる。
【００２１】
なお、以上では、監視情報の通信に関わる構成および動作を説明したが、本監視システムは、監視装置１から画像データや音声データを送信し、それを監視情報取得装置２で再生することもできる。管理者はこの機能を利用して、監視情報取得装置２側の操作者に各種指示を出すことができる。また、ディスプレイ１１として液晶パネル等の小型の表示装置を用いることで、監視装置１は携帯型の装置として実現できる。また、初期情報生成部６５が生成するデータは、再生時にパスワードの入力を指示するものであってもよい。
【００２２】
【発明の効果】
本発明によれば、呼設定情報を利用せずに、監視者にのみに監視情報を供給する監視情報取得装置を提供することができる。
【００２３】
また、当該監視装置を用いた遠離監視システムを提供することができる。
【図面の簡単な説明】
【図１】  本発明の実施形態に係る遠離監視システムの構成図。
【図２】  監視装置および監視情報取得装置の構成を示すブロック図。
【図３】  監視情報取得装置の詳細な構成を示すブロック図。
【図４】  監視装置と監視情報取得装置間の通信の手順を示すシーケンス図。
【図５】  回線設定後の監視情報取得装置の動作を示すシーケンス図。
【符号の説明】
１・・・監視装置、１１・・・ディスプレイ、１２・・・スピーカ、１３・・・監視情報受信装置、１４・・・監視情報出力部、２・・・監視情報取得装置、２１・・・ビデオカメラ、２２・・・マイク、２３・・・監視情報送信装置、２４・・・監視情報入力部、３・・・ＩＳＤＮ回線、５０，６０・・・網インタフェース・回線制御部、５１，６１・・・ＣＰＵ、５２，６４・・・メモリ部、５３，６７・・・マルチメディア多重分離部、５６，６３・・・画像音声コーデック、５４・・・キー入力部、５５・・・バッファ、５７・・・信号変換部、６２・・・アクセス管理部、６５・・・初期情報生成部、６６・・・スイッチ、６０１・・・インタフェース部、６０２・・・回線制御部、６２１・・・インタフェース部、６２２・・・タイマ、６２３・・・自パスワードメモリ、６２４・・・パスワード比較器、６３１・・・符号・復号化器、６３２・・・ディジタルアナログ変換器、６７１・・・分離部、６７２・・・多重部、６７３・・・制御部、６４１・・・プログラムメモリ、６４２・・・送信用メモリ。
【図１】
0003673313.tif 000002
【図２】
0003673313.tif 000003
【図３】
0003673313.tif 000004
【図４】
0003673313.tif 000005
【図５】
0003673313.tif 000006